(57)【要約】【課題】メモリーカードと回路基板との接続部品を少なくすることができるメモリーカードおよびメモリーカードと回路基板との接続構造。【解決手段】ピン端子１６は、メモリーカード本体１２から一部が突出しており、このピン端子１６をメモリーカード本体１２から突出方向に付勢する。付勢されたピン端子１６が、回路基板３８の回路パターン３８Ａへ直接接触することで、部品点数を減らせる。【選択図】　　　図２
2004139943.tif 000002
【特許請求の範囲】
【請求項１】
メモリーカード本体と、
前記メモリーカード本体から一部が突出するピン端子と、
前記メモリーカード本体に設けられ、前記ピン端子を前記メモリーカード本体から突出方向に付勢する付勢手段と、
を有することを特徴とするメモリーカード。
【請求項２】
メモリーカード本体と、
前記メモリーカード本体から一部が突出するピン端子と、
前記メモリーカード本体に設けられ、前記ピン端子を前記メモリーカード本体から突出方向に付勢する付勢手段と、
を有し、
前記メモリーカード本体から突出方向に付勢した前記ピン端子を回路基板の表面電極へ直接接触させることを特徴としたメモリーカードと回路基板との接続構造。
【発明の詳細な説明】
【０００１】
【発明の属する技術分野】
本発明は、メモリーカードおよびメモリーカードと回路基板との接続構造に関する。
【０００２】
【従来の技術】
例えば、デジタルカメラのような電子機器でメモリーカードを使用する場合、メモリーカードは、接続ピンを備えたメモリーカードコネクタを介して回路基板に接続されるのが通常である。このメモリーカードは、複数のコネクタやコンタクト等を介して回路基板へ接続される構成なので、部品点数の増加につながるとともに小型化を妨げる一因となっている。
【０００３】
最近ではメモリーカードを二枚以上使用できるメモリーカードコネクタ装置も増えている。図７は、コンタクト群１０２Ａを備えるメモリーカードコネクタ１０２とコンタクト群１０３Ａを備えるメモリーカードコネクタ１０３とを二段重ねて基板上に設置して複数のメモリーカードに対応できるメモリーカードコネクタ装置１００を示している。（例えば、特許文献１参照）このような構成では、部品点数の増加およびそれに伴う作業の煩雑さがより顕著となり、電子機器の小型化がより難しくなる。
【０００４】
【特許文献１】
特開平６−３６８３４号公報（第１−第４頁、第１図）
【０００５】
【発明が解決しようとする課題】
本発明は、上記事実を考慮して、メモリーカードと回路基板との接続部品を少なくすることができるメモリーカードおよびメモリーカードと回路基板との接続構造を提供することを課題とする。
【０００６】
【課題を解決するための手段】
請求項１に記載する本発明のメモリーカードは、メモリーカード本体と、前記メモリーカード本体から一部が突出するピン端子と、前記メモリーカード本体に設けられ、前記ピン端子を前記メモリーカード本体から突出方向に付勢する付勢手段と、を有することを特徴とする。
【０００７】
請求項１に記載する本発明のメモリーカードによれば、ピン端子は、メモリーカード本体から一部が突出しており、付勢手段がこのピン端子をメモリーカード本体から突出方向に付勢する。このように、メモリーカードにレセプタクルの端子でなくピン端子を設けることで、回路基板に直接接続することができる。また、ピン端子が単にメモリーカード本体から突出しているだけでなく、付勢手段により付勢されることで、回路基板への接続が確実になる。
【０００８】
請求項２に記載する本発明のメモリーカードと回路基板との接続構造は、メモリーカード本体と、前記メモリーカード本体から一部が突出するピン端子と、前記メモリーカード本体に設けられ、前記ピン端子を前記メモリーカード本体から突出方向に付勢する付勢手段と、を有し、前記メモリーカード本体から突出方向に付勢した前記ピン端子を回路基板の表面電極へ直接接触させることを特徴とする。
【０００９】
請求項２に記載する本発明のメモリーカードと回路基板との接続構造によれば、メモリーカード本体から突出方向に付勢したピン端子を回路基板の表面電極へ直接接触させることとなる。このように、メモリーカードコネクタ装置を介さずにピン端子を回路基板の表面電極へ直接接触させることで、部品点数を減らして作業の容易化を図れ、電子機器の小型化が可能になる。
【００１０】
【発明の実施の形態】
本発明におけるメモリーカードおよびメモリーカードと回路基板との接続構造の実施の形態を図面に基づき説明する。
【００１１】
図１は、メモリーカードの全体斜視図を示している。図１に示すように、メモリーカード１０は、メモリーカード本体１２を備えている。メモリーカード本体１２は、略名刺大の大きさであり、内部にメモリー回路基板３０（図３参照）を備え、カバー１４で覆われている。メモリーカード本体１２からは、ピン端子１６の一部が突出して形成されている。
【００１２】
図３は、図１の３−３拡大断面図であり、メモリーカード１０の内部を示している。図３に示すように、断面視にて、カバー１４の端部１４Ａの中央には、開口部１８が設けられている。この開口部１８をピン端子１６が貫通しており、ピン端子１６には、カバー１４内側につば１７が形成されている。開口部１８よりメモリーカード本体１２の内側には、ばね収容部２０が設けられている。ばね収容部２０は、開口部１８側の周囲がカバー端部１４Ａの内側壁であるつば止め壁部２２とされている。ばね収容部２０を介してこのつば止め壁部２２に対向し、ばね止め壁部２４が形成されている。ばね収容部２０には、つば止め壁部２２とばね止め壁部２４との間に付勢手段としてのばね２６が収容されており、つば１７を介してピン端子１６を開口部１８方向（矢印Ｂ方向）へ付勢している。
【００１３】
ばね収容部２０の内側（図３では下側）には、基板配置部２８が設けられている。基板配置部２８には、前記メモリー回路基板３０が配置されている。図４に示されるように、メモリー回路基板３０には、コネクタ３２がねじ３４で固定され、図示しない接続部がメモリー回路基板３０上の所定回路端子に半田付けされている。コネクタ３２の略筒状部３２Ａの中をピン端子１６の一端部（メモリーカード本体１２（図３参照）からの突出部の反対側端部）が摺動して電気的接続を維持するようになっている。
【００１４】
この実施例では、図１に示すように、ピン端子１６は、１０本突出しており、突出方向の前後（矢印Ａ方向）に動く構造になっている。ピン端子１６の配列としては、図示に限らず、５本２列等の各種変形例が適用できる。このピン端子１６は、図５に示すように、回路基板３８の表面電極としての回路パターン３８Ａに直接当接して接続される。図５にて、右端のピン端子１６は、ＣＳピン１６Ａである。ここでは、ピン端子１６を明瞭に図示する都合上メモリーカード１０を傾けて図示してあるが、図２及び図６に示すように、メモリーカード１０は、回路基板３８と垂直に配置される。図５の矢印６方向視を示したものが図６である。
【００１５】
また、図１に示すように、メモリーカード１０には、複数のピン端子１６の外周を覆うプラスチックカバー４６を取り付けても良い。プラスチックカバー４６の外形は、略直方体であり、その内側は、ピン端子１６及びカバー端部１４Ａ付近の形状に合わせて凹部が形成されている。このように、外部に露出しているピン端子１６がプラスチックカバー４６で覆われることによってピン端子１６は保護される。なお、この実施例では、プラスチックカバー４６に貫通部分は設けられていないが、ピン端子１６に対応させて貫通部分を設け、プラスチックカバー４６全体がピン端子１６と同じ方向に動く構成にしてしても良い。
【００１６】
図２は、メモリーカード１０をデジタルカメラ等の電子機器３６に挿入して使用する状態を示す断面斜視図である。図２に示すように、電子機器３６には、回路基板３８が設けられている。回路基板３８の回路パターン３８Ａ面に対して垂直方向にソケット４０が設けられている。ソケット４０の内側面は、ガイド部４０Ａとなっており、メモリーカード１０のピン端子１６を回路基板３８へ導くスロットを形成している。ガイド部４０Ａの挿入部４０Ｂ側には、ストッパー４２が設けられている。ストッパー４２は、メモリーカード１０がばね２６（図３参照）の付勢力の反作用で回路基板３８側から押し戻されるのを止める。これにより、所定位置でメモリーカード１０の係止状態が保持される。挿入部４０Ｂ付近には、レリーズボタン４４が設けられている。ストッパー４２を矢印Ｃ方向に動かして係止を解除したい場合には、レリーズボタン４４が押されることになる。ピン端子１６は、ばね２６（図３参照）による付勢力を得ているので、ソケット４０側に押出し機能を設けなくても回路基板３８からの反作用でメモリーカード１０は押し出される。これにより、メモリーカード１０を容易に取り出すことができる。
【００１７】
また、図５に示すように、回路パターン３８Ａには、図中の最右列を除く共通端子となる部分と図中の最右列の個別端子となる部分がある。共通端子となる部分は、複数挿入されるメモリーカード１０に共通で使用され、個別端子となる部分は、個々のメモリーカード１０に個別で対応している。
【００１８】
次に、上記の実施形態の作用を説明する。
【００１９】
図２に示すように、ピン端子１６は、メモリーカード本体１２から一部が突出しており、ばね２６（図３参照）がこのピン端子１６をメモリーカード本体１２から突出方向に付勢する。付勢されたピン端子１６は、回路基板３８の回路パターン３８Ａへ直接接触する。この回路基板３８により、ピン端子１６の得た付勢力の反作用が働き、メモリーカード１０は押し戻されるが、ストッパー４２で係止されるので、所定位置で係止状態が保持される。
【００２０】
このように、メモリーカード１０にレセプタクルの端子でなくピン端子１６を設けることで、回路基板３８の回路パターン３８Ａに直接接続することができる。また、ピン端子１６が単にメモリーカード本体１２から突出しているだけでなく、ばね２６（図３参照）により付勢されているので、ストッパー４２で係止することで、回路基板３８の回路パターン３８Ａへの接続が確実になる。さらに、メモリーカードコネクタを介さずにピン端子１６を回路基板３８の回路パターン３８Ａへ直接接触させることで、部品点数を減らして作業の容易化を図れ、電子機器の小型化が可能になる。
【００２１】
上記の結果として、例えば、小型のデジタルカメラにも複数のメモリーカードを挿入することが可能になるので、同じ画像データを複数のメモリーカードに同時に記録することができる。このため、画像データのコピーを減らすことができる。
【００２２】
なお、上記の実施の形態では、付勢手段としてばねを用いて具体的に説明したが、ばね以外のもの、例えば、弾性板を用いても良く、付勢手段はこれに限定されない。
【００２３】
【発明の効果】
以上説明したように、本発明のメモリーカードおよびメモリーカードと回路基板との接続構造によれば、メモリーカードと回路基板との接続部品を少なくすることができるという優れた効果を有する。
【図面の簡単な説明】
【図１】本発明の実施例に係るメモリーカードの全体斜視図である。
【図２】メモリーカードを電子機器に挿入して使用する状態を示す断面斜視図である。
【図３】図１の３−３拡大断面図である。
【図４】コネクタおよびピン端子等を示した斜視図である。
【図５】メモリーカードと回路基板とが接続される状態を示す概略斜視図（図２に示されるソケットは省略）である。
【図６】図５の矢印６方向視を示した図である。
【図７】従来のメモリーカードコネクタの一部を切断した状態を示す斜視図である。
【符号の説明】
１０　　メモリーカード
１２　　メモリーカード本体
１６　　ピン端子
２６　　ばね（付勢手段）
３８　　回路基板
３８Ａ　回路パターン（表面電極）
【図１】
2004139943.tif 000003
【図２】
2004139943.tif 000004
【図３】
2004139943.tif 000005
【図４】
2004139943.tif 000006
【図５】
2004139943.tif 000007
【図６】
2004139943.tif 000008
【図７】
2004139943.tif 000009